(57)【要約】【課題】刃物Ｈの刃先に対して一定の角度で研磨することにより刃先の角度が一定となり刃先が小さなノコギリ状となる研ぎ台付刃物研ぎ器を提供する。【解決手段】研ぎ台付刃物研ぎ器１００は、研ぎ台１０と研ぎ具２０を有しており、研ぎ台１０に固着され固定されたた刃物Ｈを研ぎ具２０で研ぐように形成されている。研ぎ台１０は、テーブルなどの平らな場所に載置され、刃物Ｈが、吸着シート付マグネット１１の部分に載置されて、磁力と吸着力で固着され、且つ、ローラー２０ｂを平らな場所に当接された状態において、刃物Ｈと研ぎヤスリ２１は、予め定められた一定の角度で接するように形成されており、研ぎ台付刃物研ぎ器１００は、研ぎヤスリ２１を用いて刃物Ｈの刃の先端から元の部分までを略均一な刃角となることで小さなノコギリ状の刃先となるように研ぐことができる。【選択図】図１
0003219990.tif 000002
【実用新案登録請求の範囲】
【請求項１】
研ぎ台と研ぎ具を有し、前記研ぎ台に固定された刃物を、前記研ぎ具を用いて研ぐように形成されている研ぎ台付刃物研ぎ器であって、
前記研ぎ台は、上面が傾斜しており、吸着シートとマグネットが一体的に形成されている吸着シート付マグネットが、前記上面に貼り付けられ固着されており、
前記研ぎ具は、一体的に形成されている本体部と支点部、及び研ぎヤスリを有し、前記本体部には、ゴムマグネットが貼り付け固着されており、前記研ぎヤスリは、前記ゴムマグネットの磁力で吸着され固着されるように形成されており、
前記研ぎ台がテーブルなどの平らな場所に載置され、前記刃物が、前記吸着シート付マグネットの部分に載置され磁力と吸着力で固着され、且つ、前記支点部を前記平らな場所に当接された状態において、前記刃物と前記研ぎヤスリは、予め定められた一定の角度で接するように形成されており、
前記研ぎヤスリを用いて前記刃物の刃の先端から元の部分までを略均一な刃角となるように、且つ、小さなノコギリ状の刃先となるように研ぐことを特徴とする研ぎ台付刃物研ぎ器。
【請求項２】
前記予め定められた角度は、前記刃角が略１５度の刃角に対応するように形成されていることを特徴とする請求項１に記載の研ぎ台付刃物研ぎ器。
【請求項３】
前記本体部に嵌め込まれるように形成されているスペーサーを有し、
前記スペーサーは、前記予め定められた角度を前記刃物の刃角に対応するように形成されていることを特徴とする請求項１または請求項２に記載の研ぎ台付刃物研ぎ器。
【請求項４】
前記支点部は、ローラーが設けられており、前記ローラーを前記平らな場所に当接させて、前記研ぎヤスリを用いて前記刃物の刃先を研ぐことを特徴とする請求項１から請求項３のいずれかに記載の研ぎ台付刃物研ぎ器。
【請求項５】
前記研ぎヤスリは、両面であり、
前記両面の一方の面はアラ目であり、前記両面の他方の面は細目であることを特徴とする請求項１から請求項４のいずれかに記載の研ぎ台付刃物研ぎ器。
【考案の詳細な説明】
【技術分野】
【０００１】
本考案は、研ぎ台付刃物研ぎ器に関する。
【背景技術】
【０００２】
従来、包丁、小刀、はさみなど物を切断したり削ったりする道具である刃物の刃先を研ぐ研ぎ器は、Ｖ字部分に刃物を差し入れて刃物を押し引きし研磨する方式が一般的であり、例えば、刃の両側から研げるように１つおきにＶ字型に設けられた研磨素子の溝に刃先を押しつけながら溝方向に移動させることにより包丁などの刃物の刃先を研ぐ包丁研ぎ器が開示されている。
【先行技術文献】
【特許文献】
【０００３】
【特許文献１】特開２００９-２２６５７２号公報
【考案の概要】
【考案が解決しようとする課題】
【０００４】
上記のとおり従来の研ぎ器は、Ｖ字部分に刃物を差し入れて刃物を押し引きし研磨する方式が主であり、このような研磨による刃先は、小さなノコギリ状となり難く切れ味が悪く、くいつきが悪く、切れ味が長持ちしないなどの問題があった。
【０００５】
そこで本考案は、このような課題を解決するためになされたもので、刃物の使用において食材に対して切れ味がよくなりくいつきが良くなるように、刃物の刃先に対し一定の角度で研磨することで、刃先の角度が一定となり、刃先が小さなノコギリ状となる研ぎ台付刃物研ぎ器を提供するものである。
【課題を解決するための手段】
【０００６】
上記課題を解決するために、本考案に係る研ぎ台付刃物研ぎ器は、研ぎ台と研ぎ具を有し、前記研ぎ台に固定された刃物を、前記研ぎ具を用いて研ぐように形成されている研ぎ台付刃物研ぎ器であって、前記研ぎ台は、上面が傾斜しており、吸着シートとマグネットが一体的に形成されている吸着シート付マグネットが、前記上面に貼り付けられ固着されており、前記研ぎ具は、一体的に形成されている本体部と支点部、及び研ぎヤスリを有し、前記本体部には、ゴムマグネットが貼り付け固着されており、前記研ぎヤスリは、前記ゴムマグネットの磁力で吸着され固着されるように形成されており、前記研ぎ台がテーブルなどの平らな場所に載置され、前記刃物が、前記吸着シート付マグネットの部分に載置され磁力と吸着力で固着され、且つ、前記支点部を前記平らな場所に当接された状態において、前記刃物と前記研ぎヤスリは、予め定められた一定の角度で接するように形成されており、前記研ぎヤスリを用いて前記刃物の刃の先端から元の部分までを略均一な刃角となるように、且つ、小さなノコギリ状の刃先となるように研ぐことを特徴とする。
【０００７】
本考案に係る研ぎ台付刃物研ぎ器の態様について、前記予め定められた角度は、前記刃角が略１５度の刃角に対応するように形成されていることを特徴とすることが好ましい。
【０００８】
本考案に係る研ぎ台付刃物研ぎ器の態様について、前記本体部に嵌め込まれるように形成されているスペーサーを有し、前記スペーサーは、前記予め定められた角度を前記刃物の刃角に対応するように形成されていることが好ましい。
【０００９】
本考案に係る研ぎ台付刃物研ぎ器の態様について、前記支点部は、ローラーが設けられており、前記ローラーを前記平らな場所に当接させて、前記研ぎヤスリを用いて前記刃物の刃先を研ぐことが好ましい。
【００１０】
本考案に係る研ぎ台付刃物研ぎ器の態様について、前記研ぎヤスリは、両面であり、前記両面の一方の面はアラ目であり、前記両面の他方の面は細目であるこが好ましい。
【考案の効果】
【００１１】
本考案によれば、刃物の使用において食材に対して切れ味がよくなりくいつきが良くなるように、刃物の刃先に対し一定の角度で研磨することで、刃先の角度が一定となり、刃先が小さなノコギリ状となる研ぎ台付刃物研ぎ器を提供することができる。
【図面の簡単な説明】
【００１２】
【図１】実施形態の研ぎ台付刃物研ぎ器の一例を示す模式図である。
【考案を実施するための形態】
【００１３】
以下、本考案の実施形態を、図１を用いて説明する。図１（ａ）は、研ぎ台付刃物研ぎ器１００の使用の状態を横から見た図であり、刃物Ｈと研ぎヤスリ２１の角度が１５度、つまり略１５度の例を示している。図１（ｂ）は、研ぎ台付刃物研ぎ器１００の使用の状態を上方から見た図であり、刃物に対して研ぎ具２０を一定の角度で研ぐ状態を示している。なお、以下に述べる上記の角度を自在に変更できるスペーサーについては、種々の構成がありここでは図による説明を省略する。
【００１４】
研ぎ台付刃物研ぎ器１００は、研ぎ台１０と研ぎ具２０を有しており、研ぎ台１０に固着され固定された刃物Ｈを、研ぎ具２０を用いて研ぐように形成されている。
【００１５】
研ぎ台１０は、上面が傾斜しており、吸着シートとマグネットが一体的に形成されている吸着シート付マグネット１１が、上面に貼り付けられ固着されている。後述するように、刃物Ｈが吸着シート付マグネット１１に磁力と吸着力で固着され固定されている状態で、上面が傾斜していることにより、刃物Ｈも傾斜することになり、研ぎ具２０との間で刃物Ｈの刃角に対応する角度を有する構成となっている。
【００１６】
研ぎ具２０は、一体的に形成されている本体部２０ａと支点部の一例であるローラー２０ｂ、及び研ぎヤスリ２１を有している。本体部２０ａには、ゴムマグネット２０ｃが貼り付け固着されており、研ぎヤスリ２１は、ゴムマグネット２０ｃの磁力で固着されるように形成されている。
【００１７】
研ぎ台１０は、テーブルなどの平らな場所に載置され、刃物Ｈが、吸着シート付マグネット１１の部分に載置されて、磁力と吸着力で固着され、且つ、ローラー２０ｂを平らな場所に当接された状態において、刃物Ｈと研ぎヤスリ２１は、予め定められた一定の角度で接するように形成されている。
【００１８】
上記のように形成されている研ぎ台付刃物研ぎ器１００は、研ぎヤスリ２１を用いて刃物Ｈの刃の先端から元の部分までを略均一な刃角となるように、且つ、小さなノコギリ状の刃先となるように研ぐことができるという優れたものである。
【００１９】
上記の予め定められた一定の角度は、刃物Ｈが略１５度の刃角になるように形成されていることが望ましいが、これは一例であり刃角が適宜最適な角度となるように構成されるとよい。
【００２０】
また、上記の一定の角度は、本体部２０ａに嵌め込まれるように形成されているスペーサーを用いて調整されるようにしてもよい。このようなスペーサーを用いることで、研ぎ台付刃物研ぎ器１００は、多種の用途、例えばパン切ナイフ、出刃包丁、柳刃包丁などの刃物Ｈの刃角に対応できるものになる。
【００２１】
支点部は、上記のとおりローラー２０ｂが設けられており、このローラー２０ｂを用いることで研ぎ台付刃物研ぎ器１００を横、縦など適切に移動させることができ、刃物Ｈを研ぐことができる構成となっている。
【００２２】
研ぎヤスリ２１は、この例において両面であり、両面の一方の面はアラ目であり、両面の他方の面は細目であるがこれに限定されず適宜最適なものにすればよい。
【００２３】
上記の構成を有する研ぎ台付刃物研ぎ器１００は、刃物Ｈの固定を吸着シート付マグネット１１に貼り付けることにより安定し安全にできるものであり、刃物Ｈと吸着シート付マグネット１１の間は真空状態になりマグネットの磁力により吸着力は倍増し強く固定させることができる。研ぎ台付刃物研ぎ器１００は、このように刃物Ｈを固定して研ぐことができるため女性や高齢者にとっても刃物Ｈを扱うことができ、不安感もなく安全且つ安心して使用できるものである。
【００２４】
研ぎ台１０は、一定の刃角を保つことができるように、略１５度の傾斜をつけているが、刃物Ｈは、出刃包丁、柳刃包丁などそれぞれの刃角が異なっているため、例えば、研ぎ台１０の下部に差込み方式としたクシ状の部材であるスペーサーを用いて対応できるようにしている。このスペーサーは、簡単に研ぎ台１０に装着でき、例えば、刃角を５段階に変更でき、例えば、研ぐことが困難であり廃棄していたパン切りナイフを研磨することができる優れたものである。また、ダイヤ電着の研ぎヤスリ２１はゴムマグネット２０ｃにより、表裏使用で着脱が簡単なものであり、例えば、２４０番のアラ目と８００番の細目をワンタッチで変更することができる。
【００２５】
以下、刃物Ｈの一例である包丁を、研ぎ台付刃物研ぎ器１００を用いて研ぐ例を説明する。まず、研ぎ台１０をテーブルなどの平らな場所に傾斜の低い側が手前になるように置く、次に、包丁の汚れをよく拭きとり、吸着シート部分に刃先が台より３ｍｍから５ｍｍ程度前に出るように包丁を置く。その際、包丁の持ち手である柄は、吸着シート付マグネット１１に乗らないようにする。次に、研ぎはじめは、粗めの研ぎヤスリ２１がセットされておりそのまま研ぎヤスリ２１を刃先にあててテーブル面にローラー２０ｂを接しながらコロコロと前後と横に移動させ、包丁片面が研ぎ終わったら包丁を反転させて他方の片面も同様に研ぐ。仕上げは細めの研ぎヤスリ２１を用いて同じように研ぎ、研いだ後の包丁は水洗いし乾いた布で拭き取るとよい。
【００２６】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。また、本考案の使用材料は、ＡＢＳ、ＰＥ、アクリル樹脂、鉄、ゴムマグネット、工業用ダイヤモンドなどであるがこれらに限定されず適宜最適な材料を選択することができる。
【００２７】
また、本考案の研ぎ台付刃物研ぎ器の大きさや形状、素材の厚さ、重さなどについては多様な実施形態が可能であり、それらについて本実施形態と異なる形態による実施は、本考案の技術的範囲に含まれる。
【符号の説明】
【００２８】
１００  研ぎ台付刃物研ぎ器
１０    研ぎ台
１１    吸着シート付マグネット
２０    研ぎ具
２０ａ  本体部
２０ｂ  ローラー
２０ｃ  ゴムマグネット
２１    研ぎヤスリ
Ｈ      刃物
【図１】
0003219990.tif 000003